(57)【要約】【課題】表示のコントラストを改善することを目的とする。【解決手段】複数の第１、第２および第３の行電極Ｘ，Ｙ，Ｚを有し、第１の行電極Ｘと第２の行電極Ｙとによって表示放電のための電極対が構成されるプラズマディスプレイパネル１において、第３の行電極Ｚをセル内の発光領域の一部を意図的に隠す遮光体として利用する。内部で反射する外光の一部を遮光することにより、暗色の表示品位が向上する。また、セルの中央部に適度な面積の遮光体を配置することによって、セル内で輝度が一様な目に優しい表示を実現することができる。【選択図】図３
2006202627.tif 000002
【特許請求の範囲】
【請求項１】
前面基板に支持された複数の第１、第２および第３の行電極と、前記第１および第２の行電極を被覆する誘電体とを有し、前記第１の行電極のそれぞれと前記第２の行電極のそれぞれとによって表示放電のための電極対が構成されるプラズマディスプレイパネルであって、
前記第３の行電極のそれぞれは、各セルの行方向中央部における幅が当該各列の行方向端部における幅よりも大きい帯状の遮光体であり、前記電極対を構成する第１および第２の行電極の平面視における中間に配置されており、
前記第３の行電極における幅の大きい部分によって内部が部分的に隠される構造をもつ
ことを特徴とするプラズマディスプレイパネル。
【請求項２】
前記第３の行電極に対する背面側に蛍光体が配置された
請求項１記載のプラズマディスプレイパネル。
【請求項３】
前記第３の行電極は暗色の導体である
請求項１記載のプラズマディスプレイパネル。
【請求項４】
前記第１および第２の行電極が誘電体層によって被覆され、
前記第３の行電極が前記誘電体層の上に形成されてなる
請求項１記載のプラズマディスプレイパネル。
【請求項５】
前記第１および第２の行電極が誘電体層および誘電体保護膜によって被覆され、
前記第３の行電極が前記誘電体層の上に形成されかつ前記誘電体保護膜によって被覆されてなる
請求項１記載のプラズマディスプレイパネル。
【請求項６】
前記前面基板の周縁部において、前記第３の行電極が前記誘電体層の上に形成された連結導体によって結線されてなる
請求項４または請求項５記載のプラズマディスプレイパネル。
【請求項７】
前面基板に支持された複数の第１、第２および第３の行電極と、前記第１および第２の行電極を被覆する誘電体とを有し、前記第１の行電極のそれぞれと前記第２の行電極のそれぞれとによって表示放電のための電極対が構成されるプラズマディスプレイパネルであって、
前記第３の行電極のそれぞれは、各セルの行方向中央部における幅が当該各列の行方向端部における幅よりも大きい帯状の遮光体であり、前記電極対を構成する第１および第２の行電極の平面視における中間に配置され、
前記第１、第２および第３の行電極が前記前面基板の直上に形成され、
前記第３の行電極が放電ガス空間に露出しており、
前記第３の行電極における幅の大きい部分によって内部が部分的に隠される構造をもつ
ことを特徴とするプラズマディスプレイパネル。
【請求項８】
前面基板に支持された複数の第１、第２および第３の行電極と、前記第１および第２の行電極を被覆する誘電体とを有し、前記第１の行電極のそれぞれと前記第２の行電極のそれぞれとによって表示放電のための電極対が構成されるプラズマディスプレイパネルであって、
前記第３の行電極のそれぞれは、各セルの行方向中央部における幅が当該各列の行方向端部における幅よりも大きい帯状の遮光体であり、前記電極対を構成する第１および第２の行電極の平面視における中間に配置され、
前記第１、第２および第３の行電極が前記前面基板の直上に形成され、
前記第１および第２の行電極が誘電体層および誘電体保護膜によって被覆され、
前記第３の行電極が前記誘電体層では被覆されずに前記誘電体保護膜によって被覆されており、
前記第３の行電極における幅の大きい部分によって内部が部分的に隠される構造をもつ
ことを特徴とするプラズマディスプレイパネル。
【発明の詳細な説明】
【技術分野】
【０００１】
表示放電を生じさせるための電極対が同一方向に延びる電極によって構成されるプラズマディスプレイパネルに関する。
【背景技術】
【０００２】
カラー映像の表示に面放電タイプのＡＣプラズマディスプレイパネルが用いられている。この種のプラズマディスプレイパネルは、行電極として配列されかつ誘電体で被覆された第１および第２の表示電極と、列電極として配列されたアドレス電極とを有する。第１の表示電極および第２の表示電極は、画面の行ごとに表示放電のための電極対を構成する。表示放電はセルの発光量を決める主放電である。第２の表示電極は表示放電を生じさせる役割とともに、アドレッシングにおいて行（ｒｏｗ）を選択する役割を担う。列（ｃｏｌｕｍｎ）を選択する役割はアドレス電極が担う。すなわち、第２の表示電極とアドレス電極とが、選択されたセルでアドレス放電を生じさせるための電極マトリクスを構成する。
【０００３】
面放電タイプでは、カラー表示のための蛍光体層を、表示電極が配列された第１の基板と対向する第２の基板上に形成することによって、表示電極対からパネル厚さ方向に遠ざけて配置することができる。表示電極対から遠ざけることによって、放電時の衝撃による蛍光体層の劣化を低減することができる。
【０００４】
このような面放電タイプのプラズマディスプレイパネルの改良に関して、表示電極と平行な第３の行電極を補助電極として配列することが提案されている。この補助電極を適切にバイアスすることによって、プラズマディスプレイパネルの動作が改善される。例えば、交流電圧の印加によって表示放電を繰り返し生じさせるサステイン動作において、電極対に交流電圧を印加するときに、補助電極を一方の表示電極の電位と他方の表示電極の電位との間の電位にバイアスする。これによって、補助電極は表示電極間の電界を一様にするグリッドとして作用し、発光効率の向上に貢献する。またはサステイン動作において、交流電圧パルス列の先頭パルスの印加に同期させて、表示放電の開始を容易にするトリガー放電を生じさせるパルスを補助電極に印加する。これによって表示放電をより確実に生じさせることができる。
【０００５】
特開２０００−２５１７４６号公報には、表示電極および補助電極を前面基板の直上に形成し、表示電極および補助電極を誘電体層で被覆した構造が開示されている。特開２００２−１１００４７号公報には、表示電極を被覆する誘電体層の上に補助電極を形成し、補助電極を放電ガス空間に露出させた構造が記載されている。
【０００６】
一方、面放電タイプのプラズマディスプレイパネルにおけるコントラストの改善に関して、画面における実質的に非発光となる領域に内部を隠す遮光層を設けることが、特開平１０−２６９９５１号公報に開示されている。
【特許文献１】特開２０００−２５１７４６号公報
【特許文献２】特開２００２−１１００４７号公報
【特許文献３】特開平１０−２６９９５１号公報
【発明の開示】
【発明が解決しようとする課題】
【０００７】
カラー表示に用いられる蛍光体は非発光時においては白色や淡い灰色などの白っぽい色であるので、特に明るい環境での表示に際して発光するセルと発光しないセルとの明暗（コントラスト）が不明瞭であるという普遍的な問題がある。本発明の目的は表示のコントラストを改善することである。
【課題を解決するための手段】
【０００８】
本発明の目的を達成するプラズマディスプレイパネルは、外囲器を構成する前面基板および背面基板と、前記前面基板に支持された複数の第１、第２および第３の行電極と、前記第１および第２の行電極を被覆する誘電体とを有し、前記第１の行電極のそれぞれと前記第２の行電極のそれぞれとによって表示放電のための電極対が構成されるものであり、前記第３の行電極のそれぞれが、各列の行方向中央部における幅が当該各列の行方向端部における幅よりも大きい帯状の遮光体であり、前記電極対を構成する第１及び第２の行電極の平面視における中間に配置されており、前記第３の行電極における幅の大きい部分によって内部が部分的に隠されるという特徴を備える。第３の行電極における幅の大きい部分の面積は表示の輝度とコントラストと勘案して最適化し得る。
【０００９】
本発明においては、第３の行電極をセル内の発光領域の一部を意図的に隠す遮光体として利用する。内部で反射する外光の一部を遮光することにより、暗色の表示品位が向上する。また、セルの中央部に適度な面積の遮光体を配置することによって、セル内で輝度が一様な目に優しい表示を実現することができる。
【発明の効果】
【００１０】
請求項１ないし請求項８の発明によれば、表示のコントラストを改善することができる。
【００１１】
請求項３の発明によれば、第３の行電極による外光の反射を低減することができる。
【発明を実施するための最良の形態】
【００１２】
図１は第１のプラズマディスプレイパネルの断面構造を示す。プラズマディスプレイパネル１は前面板１０と背面板２０とで構成され、縦横に並ぶ放電セルからなる画面を有する。前面板１０および背面板２０はともに画面よりも大きい厚さ３ｍｍ程度のガラス基板に電極とその他の構成要素とが固着した構造体である。前面板１０および背面板２０は重ね合わせるように対向配置され、互いに重なり合った領域の周辺部に在る平面視枠状の封着材３５によって接合されている。前面板１０と背面板２０と封着材３５とで密封された内部空間（放電ガス空間）３０に、ネオンとキセノンとを混合した放電ガスが充填されている。例えば、画面サイズが対角４２インチである場合、プラズマディスプレイパネル１はおよそ９９４ｍｍ×５８５ｍｍの大きさをもつ。放電ガス空間３０の厚さ（前後方向の寸法）は１００μｍ〜２００μｍの範囲内の値である。
【００１３】
前面板１０は背面板２０に対して図１の左右に５ｍｍ程度張り出し、背面板２０は前面板１０に対して紙面の表裏方向に沿って５ｍｍ程度張り出す。このように張り出した前面板１０および背面板２０のそれぞれの端部には、駆動ユニットとの導電接続のためのフレキシブル配線板が接合される。
【００１４】
図２はプラズマディスプレイパネルの要部断面構造を示す。プラズマディスプレイパネル１は、広く知られる３電極面放電構造に補助電極Ｚを追加した改良タイプのプラズマディスプレイパネルであり、これの電極配置の形態は上記特開２００２−１１００４７号公報に開示された形態と同様である。すなわち、プラズマディスプレイパネル１は、第１の行電極である表示電極Ｘ、第２の行電極である表示電極Ｙ、第３の行電極である補助電極Ｚ、および列電極であるアドレス電極Ａを備える。図において表示電極Ｙおよびアドレス電極Ａはそれぞれ１本のみ描かれている。
【００１５】
表示電極Ｘおよび表示電極Ｙは、前面側のガラス基板１１の直上にＸＹＸＹ…ＸＹＸの順に１本ずつ交互に並ぶように平行に配列され、隣り合う表示電極Ｘと表示電極Ｙの組が面放電形式の表示放電を生じさせるための電極対（陽極および陰極）を構成する。表示電極Ｘと表示電極Ｙの総数は画面の行数に１を加えた数である。表示電極Ｘおよび表示電極Ｙのそれぞれは、透明導電膜４１とその上に積層された金属膜４２とからなり、誘電体層１７およびマグネシアからなる保護膜１８で被覆される。
【００１６】
補助電極Ｚは、誘電体層１７の上に表示電極間隙ごとに１本ずつ配列され、図２では示されないが表示電極配列の両側にも１本ずつ配列されている（図４参照）。つまり、補助電極Ｚの総数は表示電極の総数に１を加えた数であり、画面の平面視において補助電極間のそれぞれに表示電極Ｘまたは表示電極Ｙが存在する。
【００１７】
アドレス電極Ａは背面側のガラス基板２１の直上に画面の各列に１本ずつ配列される。アドレス電極Ａの数は列数と等しい。アドレス電極Ａは絶縁体層２４および蛍光体層２８で被覆される。なお、絶縁体層２４の上には放電ガス空間３０を列ごとに区画する帯状の複数の隔壁が配置され、隔壁で区画された列のそれぞれにＲ，Ｇ，Ｂの発光色の１つが対応しかつ３色が繰り返し並ぶよう３種の蛍光体層２８が形成される。
【００１８】
図３は補助電極の平面形状および前面板の電極と背面板の隔壁との位置関係を示す。同図では前面側から見た電極の積層順序が表されている。
【００１９】
プラズマディスプレイパネル１における特徴は、補助電極Ｚが遮光面積を最適化する幅の太い部分５２を有することである。補助電極Ｚは、隔壁２７で区画された各列の行方向中央部における幅が当該各列の行方向端部における幅よりも大きい帯状の遮光体である。そして、補助電極Ｚは、行を画定する表示電極対の電極間隙の平面視における中間に配置されており、図中に一点鎖線で示されたセルの列方向の中央を通る。図示において行方向は水平方向であり、列方向は垂直方向である。
【００２０】
図２および図３から明らかなとおり、補助電極Ｚにおける幅の太い部分５２は、表示の観察者に対して蛍光体層２８の一部を隠す。これによって、非発光の蛍光体が白く見える不具合が軽減され、コントラストが向上する。これらの部分５２の幅ｗおよび行方向の長さａは遮光面積が過度に大きくならないよう選定すればよい。補助電極Ｚの少なくとも幅の太い部分５２の前面側表面は蛍光体層２８よりも可視光の反射率が小さい面（暗色面）にする。
【００２１】
補助電極Ｚが一定幅の帯状でなくセルの中央において局部的に太い帯状であることには、補助電極Ｚの電気的作用をセルの中央に集中させる利点がある。表示電極との相互作用を高めるには表示電極と補助電極との距離ｄを短くするのが望ましい。例えば、表示電極間隙（面放電ギャップ）ｇが１６０μｍである場合、幅ｗが２０μｍであれば、距離ｄは７０μｍである。ただし、電極を近づけることによって電極間容量が増加することに注意する必要がある。
【００２２】
また、プラズマディスプレイパネル１においては、補助電極Ｚが暗色の導体であるという特徴もある。補助電極Ｚが暗色であれば、補助電極Ｚによる外光の反射が低減される。このような補助電極Ｚの一例として、黒色コーティングされた銀フリット、または銀フリットと黒色顔料とを含む導電ペーストを焼成して得られる銀電極がある。
【００２３】
補助電極Ｚの形成手法としては、ドライフィルムをフォトリソグラフィによってパターニングする方法、インクジェットによって導電性インキを塗布する方法、および凹版オフセット印刷によって導電性インキを塗布する方法などがある。表示電極Ｘ，Ｙを薄膜成膜法により形成し、さらに厚膜技術またはＣＶＤ(Chemical Vapor Deposition)によって誘電体層１７を形成した後に、これら手法のいずれかによって補助電極Ｚを形成する。そして、保護膜１８となるマグネシア（ＭｇＯ）を蒸着する。蒸着後に補助電極Ｚ上のマグネシアを除去すれば、補助電極Ｚが放電ガス空間３０に露出した図２の構造が形成される。ただし、マグネシアの部分的除去を省略し、補助電極Ｚ上にマグネシアを残してもよい。
【００２４】
表示電極Ｘ，Ｙの形状についての制約はない。図３の例示においては、表示電極Ｘおよび表示電極Ｙのそれぞれは、列ごとに配置され各セルでＴ字状の放電面を形成するＩ字状にパターニングされた複数の透明導電膜４１と、透明導電膜４１に対する給電路を形成する細い帯状の金属膜４２とで構成される。
【００２５】
図４は前面板の電極配列の概略を示し、図５は図４のａ−ａ矢視断面図であって表示電極および補助電極の端子部の配置を模式的に示す。
【００２６】
補助電極Ｚは、ガラス基板１１の周縁部において、誘電体層１７の上に形成された連結導体ＺＴ１，ＺＴ２によって結線されている。図４の例では、図の上側から下側へ向かう配列順序が奇数の補助電極Ｚはガラス基板１１における封止材３５の外側の左端部へ導出され、この左端部に配置された上下に延びる連結導体ＺＴ１と繋がっている。配列順序が偶数の補助電極Ｚはガラス基板１１における封止材３５の外側の右端部へ導出され、この右端部に配置された上下に延びる連結導体ＺＴ２と繋がっている。連結導体ＺＴ１の両端部は左方へ屈曲しており、その両先端は端子部としてガラス基板１１の左端部における上下端の近くに位置する。また、連結導体ＺＴ２の両端部は右方へ屈曲しており、その両先端は端子部としてガラス基板１１の右端部における上下端の近くに位置する。
【００２７】
ガラス基板１１の左端部には表示電極Ｘが導出されており、右端部には表示電極Ｙが導出されている。そして、表示電極Ｘの端子部（左端部）および表示電極Ｙの端子部（右端部）が露出するように誘電体層１７が部分的に除去されている。連結導体ＺＴ１、ＺＴ２の端子部は誘電体層１７の上に在る。
【００２８】
このようにプラズマディスプレイパネル１では、連結導体ＺＴ１、ＺＴ２と表示電極Ｘ，Ｙとが誘電体層１７を介して交差する多層構造をもつので、別途の多層配線ケーブルを用いることなく表示電極Ｘ，Ｙおよび補助電極Ｚを駆動回路と接続することができる。例えば、表示電極Ｘ，Ｙについては、従来と同様に単層フレキシブル配線板を表示電極Ｘ，Ｙの端子部に圧着すればよい。補助電極Ｚについては、連結導体ＺＴ１、ＺＴ２の端子部にリード線を接続すればよい。なお、例示では奇数番目の補助電極Ｚと偶数番目の補助電極Ｚとを独立に制御することが可能であるが、一括制御のみを行うのであれば、全ての補助電極Ｚを結線してもよい。
【００２９】
図６は補助電極の活用の一例を示す駆動電圧波形図であり、インタレース形式の表示における奇数フィールドに係る電極電位の制御を例示している。
【００３０】
奇数フィールドおよび偶数フィールドの表示には、フィールドを複数のサブフィールドで構成する広く知られるサブフィールド法が適用される。各サブフィールドにはリセット期間、アドレス期間、およびサステイン期間が割り当てられる。
【００３１】
リセット期間では、奇数番目の表示電極Ｘ（これを表示電極Ｘｏｄｄという）および偶数番目の表示電極Ｘ（これを表示電極Ｘｅｖｅｎという）に負極性の補助パルスを印加し、奇数番目の表示電極Ｙ（これを表示電極Ｙｏｄｄという）および偶数番目の表示電極Ｙ（これを表示電極Ｙｅｖｅｎという）に正極性の書込みパルスを印加する。これにより、全ての行において放電が起こり、パルスの後縁で自己消去放電が起こって壁電荷が消失する。
【００３２】
奇数フィールドの場合には、アドレス期間の前半において、表示電極Ｘｏｄｄを一括にバイアスしてアクティブとした状態で、表示電極Ｙｏｄｄに対して１本ずつ任意の順にスキャンパルスを印加する。スキャンパルスの極性は表示電極Ｘｏｄｄのバイアス電位と反対の極性である。スキャンパルスの印加により、順位が１，５，９，…（１＋４ｋ）の各行の走査が行われる。ｋは０を含む整数である。バイアスとパルス印加とが行われたセルでは、セル電圧が他のセルよりも高くなり、表示電極Ｙｏｄｄとアドレス電極Ａとの間のアドレス放電をトリガーとして表示電極間のアドレス放電が生じる。アドレス期間の後半においては、表示電極Ｘｅｖｅｎを一括にバイアスした状態で、表示電極Ｙｅｖｅｎに対して１本ずつ任意の順序でスキャンパルスを印加する。これにより、順位が３，７，１１，…（３＋４ｋ）の各行の走査が行われる。前半および後半の走査により、奇数行における選択セルに所定の壁電荷が形成される。
【００３３】
サステイン期間においては、奇数行に係る表示電極の組（ＸｏｄｄとＹｏｄｄの組、およびＸｅｖｅｎとＹｅｖｅｎの組）に極性の異なるサステインパルスを印加し、奇数行で表示放電を生じさせる。パルス印加ごとに表示放電が生じる。偶数行に係る表示電極の組（ＹｏｄｄとＸｅｖｅｎの組）には同じ極性のサステインパルスを印加する。同じ極性のパルス印加では電極間の電圧は変わらないので、偶数行では表示放電が生じない。
【００３４】
このような駆動シーケンスにおいて、本例では奇数番目の補助電極Ｚ（これを補助電極Ｚｏｄｄという）および偶数番目の補助電極Ｚ（これを補助電極Ｚｅｖｅｎという）を、全期間にわたって０ボルトに保つ。つまり、全ての補助電極Ｚを常に接地ラインに接続する。これにより、表示電極間の電界が整えられ、放電制御の信頼性が高まる。
【００３５】
図７は第２のプラズマディスプレイパネルの要部断面構造を示し、図８は表示電極および補助電極の平面形状を示す。これらの図において第１のプラズマディスプレイパネルと同一の構成要素については同一の符号を付してある。
【００３６】
プラズマディスプレイパネル２も前面板と背面板とで構成され、外観は上記プラズマディスプレイパネル１と同様である。プラズマディスプレイパネル２は、第１の行電極である表示電極Ｘｂ、第２の行電極である表示電極Ｙｂ、第３の行電極である補助電極Ｚｂ、および列電極であるアドレス電極Ａを備える。図において表示電極Ｙｂおよびアドレス電極Ａはそれぞれ１本のみ描かれている。
【００３７】
表示電極Ｘｂおよび表示電極Ｙｂは、前面側のガラス基板１１の直上にＸＹＸＹ…ＸＹＸの順に１本ずつ交互に並ぶように平行に配列され、隣り合う表示電極Ｘｂと表示電極Ｙｂの組が面放電形式の表示放電を生じさせるための電極対を構成する。表示電極Ｘｂと表示電極Ｙｂの総数は画面の行数に１を加えた数である。表示電極Ｘｂおよび表示電極Ｙｂのそれぞれは、透明導電膜４３とその上に積層された金属膜４４とからなり、誘電体層１７ｂおよびマグネシアからなる保護膜１８ｂで被覆される。
【００３８】
誘電体層１７ｂは、画面全体に一様に形成された層のうち、補助電極Ｚｂと重なる部分を除去した残りである。保護膜１８ｂも同様にパターニングされた膜である。誘電体層１７ｂの形成には、感光性誘電体シートをフォトリソグラフィでパターニングし、その後に焼成する手法が好適である。
【００３９】
補助電極Ｚｂは、透明導電膜４５とその上に積層された金属膜４６とからなり、ガラス基板１１の直上に表示電極間隙ごとに１本ずつ配列されている。補助電極Ｚｂは誘電体で被覆されておらず放電ガス空間３０ｂに露出している。補助電極Ｚｂは表示電極Ｘｂ，Ｙｂと同時に形成される。
【００４０】
層形成の変形として、画面全体にわたる誘電体層のパターニングをし、それによって誘電体層１７ｂを形成した後に画面全体にわたる保護膜を形成する形態がある。その場合、補助電極Ｚｂは、誘電体層１７ｂでは被覆されずに誘電体層１７ｂとともに保護膜によって被覆される。
【００４１】
プラズマディスプレイパネル２における前面板の構造には、上述のプラズマディスプレイパネル１と比較して次の優位点がある。
（１）表示電極Ｘｂ，Ｙｂの形成工程で補助電極Ｚｂを形成することができるので、補助電極Ｚｂを形成するための特別の工程が不要である。金属膜４４，４６の材質を一般に用いられるクロム（Ｃｒ）−銅（Ｃｕ）−クロムとすれば、クロム表面は非発光の蛍光体と比べて暗色に見えるので、補助電極Ｚｂは蛍光体層２８ｂの一部を隠す機能を備える。
（２）補助電極Ｚｂが誘電体層１７ｂで挟まれた凹部に位置し、誘電体層１７ｂに対して背面側に突出しないので、背面板の隔壁２９と当接しない。したがって、電極が局部的に隔壁と当接する場合に発生する電極の断線の問題がない。特開２００２−１１００４７号公報の記載のように隔壁に窪みを形成して断線を防止する対策を講じる必要がない。
【００４２】
また、上記特開２０００−２５１７４６号公報に記載された誘電体層で補助電極を覆う構造と比べて、プラズマディスプレイパネル２における前面板の構造には、補助電極上の誘電体の帯電荷が表示電極間の電界を乱すという不都合が生じないという優位点がある。補助電極が保護膜で覆われる場合であっても、保護膜が数千オングストローム程度の薄い膜であるので、保護膜はほとんど電界を乱さない。
【００４３】
なお、プラズマディスプレイパネル２では、アドレス電極Ａを覆う絶縁体層２４の上に、放電ガス空間３０ｂをセルごとに区画する格子パターンの隔壁２９が配置されている。図７に表れた隔壁２９は、行どうしの境界を画定する水平壁に相当する部分である。
【００４４】
図８において、補助電極Ｚｂの金属膜４６は遮光面積を最適化する幅の太い部分５３を有する。金属膜４６は、隔壁２９で区画された各セルの行方向中央部における幅が当該各セルの行方向端部における幅よりも大きい帯状の遮光体である。そして、金属膜４６およびその下地である透明導電膜４５は、行を画定する表示電極対の電極間隙の平面視における中間に配置されており、図中に一点鎖線で示されたセルの列方向の中央を通る。つまり、補助電極Ｚｂは上述の補助電極Ｚと同様の形状をもち、必然的に補助電極Ｚと同様に内部を隠す機能をもつ。
【００４５】
図８の例示においては、表示電極Ｘｂおよび表示電極Ｙｂのそれぞれは、列ごとに両側にＴ字状に張り出す放電面をもつ帯状の透明導電膜４３と、透明導電膜４３の導電性を補う細い帯状の金属膜４４とで構成される。
【００４６】
以上の実施形態においては、１本の表示電極を隣接する２行の表示に用いる高精細型電極配列を採用したプラズマディスプレイパネル１，２を例示したが、行ごとに一対の表示電極を配置する基本電極配列を採用したプラズマディスプレイパネルにも本発明を適用することができる。
【産業上の利用可能性】
【００４７】
本発明の適用によって表示のコントラストが高まるので、高品位のディスプレイ装置の提供において本発明は有用である。
【図面の簡単な説明】
【００４８】
【図１】第１のプラズマディスプレイパネルの断面構造を示す図である。
【図２】プラズマディスプレイパネルの要部断面構造を示す図である。
【図３】補助電極の平面形状および前面板の電極と背面板の隔壁との位置関係を示す図である。
【図４】前面板の電極配列の概略を示す図である。
【図５】表示電極および補助電極の端子部の配置を模式的に示す図である。
【図６】補助電極の活用の一例を示す駆動電圧波形図である。
【図７】第２のプラズマディスプレイパネルの要部断面構造を示す図である。
【図８】表示電極および補助電極の平面形状を示す図である。
【符号の説明】
【００４９】
１，２    プラズマディスプレイパネル
１１    ガラス基板（前面基板）
Ｘ，Ｘｂ    表示電極（第１の行電極）
Ｙ，Ｙｂ    表示電極（第２の行電極）
Ｚ，Ｚｂ    補助電極（第３の行電極）
１７，１７ｂ    誘電体層
２８，２８ｂ  蛍光体層
ＺＴ１，ＺＴ２    連結導体
３０，３０ｂ    放電ガス空間
【図１】
2006202627.tif 000003
【図２】
2006202627.tif 000004
【図３】
2006202627.tif 000005
【図４】
2006202627.tif 000006
【図５】
2006202627.tif 000007
【図６】
2006202627.tif 000008
【図７】
2006202627.tif 000009
【図８】
2006202627.tif 000010